(57)【要約】      （修正有）【課題】電気雑音を生じにくく、接点寿命の長い圧力スイッチを提供する。【解決手段】圧力スイッチ１０に、抵抗とコンデンサを直列接続したサージ吸収部品８０を内蔵し、接点開閉部２１と並列に接続して、開閉時のサージ電圧を吸収することで、電気雑音とアークの発生を少なくする。【選択図】図２
0003117007.tif 000002
【実用新案登録請求の範囲】
【請求項１】
圧力により変位するダイヤフラムと、該ダイヤフラムの変位に連動するプランジャーと、プランジャーの動きに伴い第１の位置と第２の位置とに揺動するレバーと、該レバーが前期第１の位置から第２の位置に至る際に、該レバーと当接してオン・オフする接点開閉部とを備える圧力スイッチにおいて、
前記接点開閉部と並列に、抵抗とコンデンサを直列接続したサージ吸収部品を接続したことを特徴とする圧力スイッチ。
【考案の詳細な説明】
【技術分野】
【０００１】  本考案は、井戸水を汲み上げるポンプ等を動作させるための圧力スイッチに関するものである。
【背景技術】
【０００２】  従来より、井戸水を汲み上げるポンプ等を動作させるため、水圧に応じてオン・オフする圧力スイッチが用いられている。
従来技術に係る圧力スイッチの構成を図３を参照して説明する。図３（Ａ）は、従来技術の圧力スイッチのカバー５２を外した平面図であり、図３（Ｂ）は部分断面図である。ここで、図３（Ｂ）は、図３（Ａ）のｂ−ｂ断面に相当する。
圧力スイッチ１１０は、水圧により変位するダイヤフラム１４と、該ダイヤフラム１４の変位に連動するプランジャー１６と、プランジャー１６の動きを規制する圧縮バネ４８と、プランジャー１６に連動する第１レバー３４と、第１レバー３４により変位する板バネ３８と、板バネ３８の変位に伴い摺動子３０が摺動可能に配置されている。ここで、第２レバー３６が反転して第２の位置に来ることで、摺動子３０が押し下げられる。該摺動子３０には、固定接点２２ａに当接している可動接点２０ａを保持する可動接点板２０が連動し、上述したように、摺動子３０が押し下げられると、可動接点２０ａが固定接点２２ａから離れる。即ち、水圧に応じて、可動接点２０ａと固定接点２２ａとが接、離するように構成されている。
【考案の開示】
【考案が解決しようとする課題】
【０００３】  しかしながら、上述した圧力スイッチは、ポンプのモータ等の誘導負荷をオン・オフするため、可動接点２０ａと固定接点２２ａとが接、離する際に両接点間にアークを生じることで、接点の消耗や転移をまねくと共に、サージ電圧が発生しラジオ等にノイズを生じる等の問題があった。
又、圧力スイッチを、電気用品安全法の特定電気用品に該当する電気ポンプ等に組み込んで使用する場合は、電気用品の技術基準で規定される電源端子に誘起する雑音端子電圧の許容値をクリアする必要があった。
上記の問題を解決するため、従来よりポンプ等の電気機器の圧力スイッチリード線接続端子部等に、コンデンサやＣＲアブソーバ等のサージ吸収部品を取り付ける等の対策を行っていたが、この取り付け方法は一つの端子に２本以上のリード線のつなぎ込みが必要になり接続の信頼性が低下すると共に、振動でリード線接続部が断線しないようにサージ吸収部品を固定するのが難しい等の問題があった。
更に、サージ吸収部品は、サージ発生源である接点の近傍に接続する方が効果が高く、機器の端子部への取り付けではサージ吸収能力を十分に発揮できないという問題もあった。【０００４】  本考案は、上述した課題を解決するためになされたものであり、その目的とするところは、開閉時の電気雑音の発生が少なく、接点寿命の長い圧力スイッチを提供することにある。
【課題を解決するための手段】
【０００５】  上記目的を達成するため、本考案は、圧力により変位するダイヤフラム１４と、該ダイヤフラム１４の変位に連動するプランジャー１６と、プランジャー１６の動きに伴い第１の位置と第２の位置とに揺動するレバー３６と、該レバー３６が前記第１の位置から第２の位置に至る際に、該レバー３６と当接してオン・オフする接点開閉部２１とを備える圧力スイッチにおいて、
前記接点開閉部２１と並列に、抵抗とコンデンサを直列接続したサージ吸収部品８０を接続したことを特徴とする。
【考案の効果】
【０００６】  本考案に係る圧力スイッチは、抵抗とコンデンサを直列接続したサージ吸収部品８０を本体に内蔵したため、モータ等の誘導負荷の開閉でもアークの発生が少なく、接点の接触信頼性を長期間維持できる。
又、開閉時の電気雑音の発生が少なく、電気機器に組み込む場合に、電気用品の技術基準をクリアするためサージ吸収部品を機器の端子部に後付する場合の問題点である（１）端子部へ複数のリード線を接続することによる信頼性低下、（２）サージ吸収部品の固定が困難、（３）発生源から離れた場所に取り付けることによるサージ吸収能力の低下、等を防止することができる。
【考案を実施するための最良の形態】
【０００７】  本考案の実施形態に係る圧力スイッチの構成を図１を参照して説明する。図１（Ａ）は、実施形態の圧力スイッチ１０のカバー５２を外した平面図であり、図１（Ｂ）は部分断面図である。ここで、図１（Ｂ）は、図１（Ａ）のｂ−ｂ断面に相当する。
圧力スイッチ１０は、水圧を検知して図示しないポンプをオン・オフするもので、給水路側に取り付けるためのフランジ１２に、ベース１８が取り付けられ、ベース１８にカバーが被せられる。ベース１８の上面には種々の部品を取り付けるための取付台２８が配置され、該取付台２８とベース１８の間の空間には接点開閉部２１が収納されている。フランジ１２の上部には水圧により変位するダイヤフラム１４が取り付けられている。該ダイヤフラム１４の上側には、該ダイヤフラム１４の変位に連動するプランジャー１６と、プランジャー１６の動きを規制する圧縮バネ４８とが設けられている。圧縮バネ４８は、バネ押さえ４４とバネ受け４２との間に保持され、ホルダ５０に取り付けられたバネ調整ネジ４６により弾性力の調整が図られる。【０００８】  プランジャー１６に連動して揺動するように第１レバー３４が支持金具３２により支持されている。支持金具３２は、取付台２８に固定ネジ６０により固定されている。第１レバー３４の先端には、第１レバー３４の揺動により変位する板バネ３８の一端が取り付けられている。板バネ３８の他端は、板バネ３８の変位に伴い第１の位置と第２の位置に揺動する第２レバー３６に固定されている。図中には、第２レバー３６が第１の位置に揺動している状態を示している。この第１の位置で、第２レバー３６は、該第２レバー３６の動作を調整するための調整ネジ６２に当接している。調整ネジ６２は、ナット６４を介して調整ネジ保持部材４０に固定されている。調整ネジ６２の下方への突出長を調整することにより、第２レバー３６の水圧に対する動作を調整できるようになっている。【０００９】  調整ネジ６２の下方には、摺動子３０が取付台２８に摺動可能に配置されている。ここで、水圧が調整値よりも上がり第２レバー３６が反転して第２の位置に来ることで、摺動子３０が押し下げられる。該摺動子３０には、固定接点板２２の固定接点２２ａに当接している可動接点２０ａを保持する可動接点板２０が連動している。上述したように、摺動子３０が押し下げられると、可動接点２０ａが固定接点２２ａから離れる。逆に、水圧が調整値よりも下がると、第２レバー３６が調整ネジ６２に当接する第１の位置に復帰し、可動接点２０ａと固定接点２２ａとが接状態となり、この信号がリード線７０を介してポンプ側へ出力される。
尚、三相用は、可動接点板２０、可動接点２０ａ、固定接点板２２、固定接点２２ａを２組配置し、摺動子３０の上下動作により２回路を同時に開閉できる構造になっている。【００１０】  本実施形態では、サージ吸収部品８０は、バネ性を有するステンレス等の金属の薄板からなる取付金具８１の爪部８１ａをホルダ５０に引っかけることにより、該ホルダ５０の側面５０ａに押しつける形で保持され、２本のリード線８０ａはそれぞれ可動接点板２０、固定接点板２２に直接ハンダ付されている。
上記サージ吸収部品８０、取付金具８１は、三相用では２組がホルダ５０の両サイドに取り付けられる。
【産業上の利用可能性】
【００１１】  上述した実施形態では、サージ吸収部品として、抵抗とコンデンサを直列接続したいわゆるＣＲ複合部品を使用したが、コンデンサ単体やバリスタ等の他のサージ吸収素子を用い得ることは言うまでもない。
更に、用途はポンプに限らず圧力スイッチを使用するあらゆる機器に使用できる。
【図面の簡単な説明】
【００１２】
【図１】図１（Ａ）は本考案の実施形態に係る圧力スイッチのカバーを外した平面図であり、図１（Ｂ）は部分断面図である。
【図２】図２（Ａ）は取付金具の平面図、図２（Ｂ）は正面図、図２（Ｃ）は右側面図である。
【図３】図３（Ａ）は従来技術の圧力スイッチのカバーを外した平面図であり、図３（Ｂ）は部分断面図である。
【符号の説明】
【００１３】１０  圧力スイッチ
１４  ダイヤフラム
１６  プランジャー
２０  可動接点板
２０ａ  可動接点
２１  接点開閉部
２２  固定接点板
２２ａ  固定接点
２８  取付台
３０  摺動子
３４  第１レバー
３６  第２レバー
３８  板バネ
４０  調整ネジ保持部材
４８  圧縮バネ
５０  ホルダ
５０ａ  ホルダ側面
６２  調整ネジ
８０  サージ吸収部品
８０ａ  サージ吸収部品リード線
８１  取付金具
８１ａ  取付金具爪部
【図１】
0003117007.tif 000003
【図２】
0003117007.tif 000004
【図３】
0003117007.tif 000005